(57)【要約】  複数の再生パワー情報を有する情報保存媒体を開示する。該情報保存媒体は、情報保存媒体に関する基本情報が入っているリードイン領域、情報保存媒体の終わり部分を知らせるリードアウト領域、及び最適の再生パワーが異なる複数種のデータ領域を有するハイブリッド型の情報保存媒体において、複数種のデータ領域についての複数の最適の再生パワー情報がそれぞれ記録されていることを特徴とする。これにより、最適の再生パワーが異なる複数種のデータ領域を有するハイブリッド型の超解像光ディスクに記録されたデータを読む時、各領域についての最適の再生パワー情報をドライブに与えるので、常に最適の再生特性を安定的に得ることができる。
2007529848.tif 000002
【特許請求の範囲】
【請求項１】
情報保存媒体に関する基本情報が入っているリードイン領域、情報保存媒体の終わり部分を知らせるリードアウト領域、及び最適の再生パワーが異なる複数種のデータ領域を有するハイブリッド型の情報保存媒体において、前記複数種のデータ領域に対する複数の最適の再生パワー情報がそれぞれ記録されていることを特徴とする情報保存媒体。
【請求項２】
前記複数の再生パワー情報は、前記リードイン領域及びリードアウト領域のうち少なくとも一領域に記録されていることを特徴とする請求項１に記載の請求項情報保存媒体。
【請求項３】
前記リードイン領域に記録された前記複数の再生パワー情報は、前記リードイン領域のうち制御データ区域内の任意のフィールドに記録されることを特徴とする請求項２に記載の情報保存媒体。
【請求項４】
前記記録されたそれぞれの再生パワー情報は、１バイトの単位で記録され、前記１バイトの再生パワー情報のうち最上位の４ビットは、再生パワー値の整数部分を、最下位の４ビットは、再生パワー値の少数部分を表示することを特徴とする請求項３に記載の情報保存媒体。
【請求項５】
前記情報保存媒体に記録された再生パワー情報が変更されないように、前記再生パワー情報は、ピットまたはグルーブウォブル形態に記録されることを特徴とする請求項３に記載の情報保存媒体。
【請求項６】
前記複数種のデータ領域は、超解像原理によって情報を記録／再生する領域を含むことを特徴とする請求項１に記載の情報保存媒体。
【請求項７】
最適の再生パワーが異なる複数種のデータ領域を有するハイブリッド型の情報保存媒体に記録された複数の再生パワー情報によって、データを記録／再生する方法において、
前記複数種のデータ領域についての最適の再生パワー情報を情報保存媒体に記録する段階と、
前記情報保存媒体に記録されたデータの再生前に、前記情報保存媒体に記録されたそれぞれのデータ領域についての最適の再生パワー情報を予め読み取る段階と、
それぞれのデータ領域に対応する最適の再生パワーでデータを再生する段階とを含むことを特徴とするデータの記録／再生方法。
【請求項８】
前記複数の再生パワー情報は、情報保存媒体のリードイン領域及びリードアウト領域のうち少なくとも一領域に記録されていることを特徴とする請求項７に記載のデータの記録／再生方法。
【請求項９】
それぞれのデータ領域に対応する最適の再生パワーでデータを再生する前記段階は、
再生が必要なデータ領域の種類を判断する段階と、
前記判断結果によって、レーザーダイオードの出力を対応する最適の再生パワーで制御する段階とをさらに含むことを特徴とする請求項７に記載のデータの記録／再生方法。
【発明の詳細な説明】
【技術分野】
【０００１】
本発明は、複数の再生パワー情報を有する情報保存媒体に係り、より詳細には、再生パワーが異なる複数のデータ領域を含むハイブリッド型の情報保存媒体で、各領域についての最適の再生パワー情報がそれぞれ異なって記録されている情報保存媒体に関する。
【背景技術】
【０００２】
近来、非接触式で情報を記録／再生する光ピックアップ装置の情報保存媒体として、光ディスクのような光情報保存媒体が広く使われている。このような光ディスクは、記録容量によってコンパクトディスク(ＣＤ)、デジタル多機能ディスク(ＤＶＤ)などに区分され、記録容量が２０ＧＢ以上である高密度光ディスク(通常、ＨＤ−ＤＶＤ)も開発完了されつつある。このように、光情報保存媒体の容量が増加するにつれて、再生専用情報保存媒体に記録されるピットの長さ及び幅が縮小する。ところが、情報保存媒体においてピットの長さ及び幅が縮小すれば、最小マークの信号が非常に小さくなるため、諸般の再生特性が劣悪になる問題点がある。
【０００３】
このような問題点を解決するための再生方法として超解像光ディスクが挙げられる。超解像光ディスクは、レーザービームの分解能以下のサイズの記録マークが再生される超解像現象を利用する光記録媒体であって、分解能限界を超えるサイズを有する記録マークについても再生が可能なので、高密度及び高容量の要求を画期的に充足させることができる。
【０００４】
このような超解像光ディスクの種類としては、他の光記録媒体と同様に、再生専用ディスク、記録可能ディスクがあり、また、再生専用領域と記録可能領域とが共存するハイブリッド型のディスクがある。ハイブリッド型の超解像光ディスクを利用すれば、例えば、ゲーム用プログラムを再生専用領域に記録して配布後、今後プログラムがアップグレードされる場合、配布社のウェブサイトに接続して、アップグレードされたプログラムをダウンロードされて使用できる便利さがある。図１Ｂ及び図１Ｃは、このようなハイブリッド型の超解像ディスク内部の層構造を例示的に示している。超解像ディスクは、図１Ｂに示したように５層膜構造であるか、図１Ｃに示したように７層膜構造でありうるが、この時、ハイブリッド型の超解像ディスクの全領域が同じ膜構造に形成されてもよく、再生専用領域と記録可能領域の膜構造が相異なってもよい。ここで、図１Ａに示したように、ディスクの外周部分１０を再生専用領域に配置し、ディスクの内周部分２０を記録可能領域に配置してもよく、逆にディスクの外周部分１０を記録可能領域に配置し、ディスクの内周部分２０を再生専用領域に配置してもよい。
【０００５】
一方、再生分解能以下のマークを再生する前記超解像光ディスクの場合、一般的な光ディスクに比べて、はるかに大きい再生パワーを使用しており、再生特性の再生パワー依存性も非常に大きいため、保存されたデータの安定した再生のためには、最適の再生パワーを使用する必要がある。ところが、現在開発された超解像光ディスクでは、再生専用領域での再生特性と記録可能領域での記録後の再生特性とにおいて、再生パワーの依存性がそれぞれ異なって現れている。従来の一般的な光ディスクの場合には、記録可能領域や再生専用領域の再生パワー依存性が同一なため、記録可能領域と再生専用領域とを何れも有するハイブリッド型のディスク全体領域を同じ再生パワーを利用して再生した。しかし、超解像光ディスクの場合には、例えば、記録可能領域と再生専用領域、または超解像ディスク領域と一般ディスク領域のように、再生パワー依存性が異なる領域を有するハイブリッド型の光ディスクがあり得る。したがって、このようなハイブリッド型の超解像光ディスクで信頼性のあるデータの再生のためには、各領域に対して最適の再生特性が出されるようにディスクドライブの再生パワーを制御する必要があり、各領域についての最適の再生パワー情報をディスクドライブに提供しなければならない。このためには、各領域についての最適の再生パワー情報を情報保存媒体の特定領域に記録する必要がある。
【発明の開示】
【発明が解決しようとする課題】
【０００６】
本発明の目的は、前述した従来の問題点を改善するためのものであり、特に、再生パワーが異なる複数のデータ領域を有する超解像光ディスクドライブについての最適の再生パワー情報を提供することで、データを信頼性高く再生させるためのものである。
【０００７】
本発明の他の目的は、リードイン領域及びリードアウト領域の少なくとも一領域に最適の再生パワー情報が記録された情報保存媒体を提供することである。
【０００８】
本発明のさらに他の目的は、前記保存媒体に記録された再生パワー情報によって、再生パワーを制御する超解像光ディスクドライブを提供することである。
【課題を解決するための手段】
【０００９】
前記目的を達成するために、情報保存媒体及び前記情報保存媒体に関する基本情報が入っているリードイン領域、情報保存媒体の終わり部分を知らせるリードアウト領域、及び最適の再生パワーが異なる複数種のデータ領域を含む本発明によるハイブリッド型の情報保存媒体は、前記複数種のデータ保存領域についての複数の最適の再生パワー情報がそれぞれ記録されていることを特徴とする。
【００１０】
ここで、前記複数の再生パワー情報は、前記リードイン領域及びリードアウト領域のうち少なくとも一領域に記録されていることを特徴とする。
【００１１】
特に、前記リードイン領域に記録される前記複数の再生パワー情報は、前記リードイン領域のうち制御データ区域内の任意のフィールドに記録されることを特徴とする。
【００１２】
この時、前記再生パワー情報は、１バイトの単位で記録され、前記１バイトの再生パワー情報のうち最上位の４ビットは、再生パワー値の整数部分を、最下位の４ビットは、再生パワー値の少数部分を表示することを特徴とする。
【００１３】
また、前記情報保存媒体に記録された再生パワー情報が変更されないように、前記再生パワー情報は、ピットまたはグルーブのウォブル形態に記録されることを特徴とする。
【００１４】
ここで、前記情報保存媒体は、超解像原理によって情報を再生する超解像光ディスクである。
【００１５】
一方、本発明の他の態様として、最適の再生パワーが異なる複数種のデータ領域を有するハイブリッド型の情報保存媒体に記録された複数の再生パワー情報によってデータを記録／再生する本発明による方法は、前記複数種のデータ領域についての最適の再生パワー情報を情報保存媒体に記録する段階と、前記情報保存媒体に記録されたデータの再生前に、前記情報保存媒体に記録されたそれぞれのデータ領域についての最適の再生パワー情報を予め読み取る段階と、それぞれのデータ領域に対応する最適の再生パワーでデータを再生する段階と、を含むことを特徴とする。
【００１６】
この時、前記複数の再生パワー情報は、情報保存媒体のリードイン領域及びリードアウト領域のうち少なくとも一領域に記録されている。
【００１７】
また、それぞれのデータ領域に対応する最適の再生パワーでデータを再生する前記段階は、再生が必要なデータ領域の種類を判断する段階と、前記判断結果によって、レーザーダイオードの出力を対応する最適の再生パワーで制御する段階と、をさらに含むことを特徴とする。
【発明を実施するための最良の形態】
【００１８】
以下、添付した図面を参照して本発明の一実施形態による複数の再生パワー情報を有する情報保存媒体の構成及び動作について詳細に説明する。
【００１９】
前述したように、超解像光ディスクは、一般的な光ディスクに比べて再生パワーに大きく依存しているために、保存されたデータの安定した再生のためには最適の再生パワーを使用する必要がある。したがって、同じ再生パワーを使用して、ハイブリッド型の超解像光ディスクに記録されたデータを再生する場合に問題が発生することもある。従来の一般的なハイブリッド型の相変化光ディスクの場合には、比較的に再生パワー依存性が弱いため、同じ再生パワーを利用してもデータを安定的に再生させることができたが、それぞれ異なる最適の再生パワーを表す再生専用領域及び記録可能領域を有するハイブリッド型の超解像光ディスクの場合、データを安定的に再生させるためには、再生専用領域を再生する時と記録可能領域を再生する時のそれぞれに適した最適の再生パワーを利用することが必要である。
【００２０】
図２は、ハイブリッド型の超解像ディスクにおいて、再生専用領域と記録可能領域とでの再生パワーに関する特性を例示的に比較して示すグラフであり、５層膜構造の超解像光ディスクを利用して測定した結果を示している。図２のグラフを通じて分かるように、記録マークの長さが１００ｎｍである記録可能領域(すなわち、ＷＯＲＭ（Ｗｒｉｔｅ−Ｏｎｃｅ−Ｒｅａｄ−Ｍａｎｙ）タイプ）の場合、約１．８ｍＷの再生パワーで最大の信号対雑音比(ＳＮＲ：Ｓｉｇｎａｌ-ｔｏ-Ｎｏｉｓｅ  Ｒａｔｉｏ)である４０ｄＢが出る一方、記録マークの長さがやはり１００ｎｍである再生専用領域(すなわち、ＲＯＭ（Ｒｅａｄ−Ｏｎｌｙ−Ｍｅｍｏｒｙ）タイプ）の場合、約２．４ｍＷの再生パワーで３７ｄＢの最大信号対雑音比(ＳＮＲ)が測定された。したがって、５層膜構造のハイブリッド型の超解像光ディスクの場合、最適の再生パワーの差が約０．６ｍＷともなる。これは、超解像ディスクドライブが再生専用領域を読む時と記録可能領域を読む時、それぞれ異なる再生パワーを利用してこそデータの再生が安定的であるということを意味する。このためには、各領域についての最適の再生パワー情報がディスクドライブに提供される必要がある。
【００２１】
本発明は、このような目的を達成するために、前記のような再生パワーの最適条件をハイブリッド型の超解像光ディスクの特定領域に記録しておき、ディスクドライブの動作時、前記ディスクに記録された再生パワー情報を予め読み取らせるものである。このためには、それぞれの再生パワー情報を記録する適当な領域が必要である。一般的な光ディスク内のデータ領域の構造は、図３に示した通りである。すなわち、ディスクドライブ内部のターンテーブルの中心軸に挿入されるための貫通孔４１が光ディスクの中心部に形成され、前記貫通孔と同心円に一定部分までディスクをホールディングするためのクランピング領域４２が形成されている。クランピング領域４２には、データを保存しない。そして、データの開始位置、ディスク名のように光ディスク自体に関する情報及び光ディスクに記録されたデータに関する情報を保存するリードイン領域４３がある。リードイン領域４３の次には、ユーザーデータを保存するための記録領域４４があるが、ハイブリッド型の超解像光ディスクの場合、ここに再生専用領域と記録可能領域とが共在する。次には、ディスクの終わりを示すリードアウト領域４５があり、最後に、ディスクの運搬時にユーザーが握るようにデータが記録されない領域４６がある。
【００２２】
例えば、本発明で提案する最適の再生パワー情報は、光ディスクのデータ領域のうち最内周に存在するリードイン領域４３やディスクの最外周に存在するリードアウト領域４５に記録することが適当である。このような再生パワー情報は、リードイン領域４３及びリードアウト領域４５のうち何れかの領域にのみ保存されてもよく、情報の信頼性のために両領域何れにも保存されてもよい。この時、リードイン領域やリードアウト領域に記録される再生パワー情報は、製造されたディスクによって変更されてはならないので、ディスクの基板に形成されたピットやグルーブウォブル形態に記録されていることが望ましい。
【００２３】
したがって、最も望ましくは、リードイン領域内の制御データ区域に記録されることが適当である。図４は、一般的なリードイン領域のデータ構造を示しているが、大きく見て、ディスクの製造時に記録されて変更されない領域と、ユーザーがディスクにデータを記録する時に共に変更される領と域がある。制御データ区域は、前者に該当するものであり、ディスク自体に関連した各種情報及び複製防止のための情報などが記録されている。また、制御データ区域は、ディスク種類をはじめとするいろいろな情報を保存する多数のデータフィールドで構成されるが、その中には、各製造業者の必要に応じて、情報を追加できるように何らの情報も割り当てられていない保留フィールドがある。本発明による最適の再生パワー情報は、このような保留フィールドのうち任意のフィールドに割り当てて、特定フィールドは、再生専用領域のための最適の再生パワー情報を記録し、他の特定フィールドは、記録可能領域のための最適の再生パワー情報を記録する。例えば、図４の例では、５番バイトに再生可能領域の再生パワー情報を記録し、６番バイトに記録可能領域の再生パワー情報を記録している。
【００２４】
この時、前記再生パワー情報を予め決められた規則によって記録すれば、さらに便利であって信頼できる。例えば、特定領域の再生パワー情報を１バイトのフィールドに記録するならば、次のような方法を使用できる。すなわち、図５に示したように、全体８ビットのうち最上位の４ビットを再生パワー情報の整数部分の表現に使用し、最下位の４ビットを再生パワー情報の少数部分の表現に使用できる。例えば、最適の再生パワーが１．５ｍＷであれば、最初の４ビットは‘０００１'と表現し、次の４ビットは‘０１０１'と表現する。それにより、光ディスクドライブは、これを読んで１．５ｍＷと解釈できる。しかし、前述した再生パワー記録方法は、例示的なものであり、同じ目的のために他の多様な方法が使われうる。
【００２５】
前述した本発明の原理は、再生専用領域や記録可能領域が一つ以上の複数である場合にも同様に適用されうる。また、再生専用領域と記録可能領域とで構成されたハイブリッド型の光ディスクを中心として説明したが、例えば、超解像ディスク領域と一般ディスク領域とが混在されたもののように、最適の再生パワーが異なる複数種のデータ領域が混合されたいかなる種類の光ディスクにも本発明の原理が同様に適用されうる。
【００２６】
次に、図６を参照して、再生パワー情報が記録された前記超解像光ディスクを利用して、例えば、光ディスクドライブのような記録／再生システムがデータを記録／再生する方法について説明する。
【００２７】
図６は、前記のような本発明による複数の再生パワー情報が記録された情報保存媒体を記録／再生するシステムを概略的に示している。図６に示したように、前記記録／再生システムは、大きく見て、ピックアップ部５０、記録／再生信号処理部６０、及び制御部７０を備えて構成される。さらに具体的には、記録／再生システムは、光を照射するレーザーダイオード５１、レーザーダイオード５１から照射される光を平行にするコリメータレンズ５２、入射光の進路を変換するビームスプリッタ５４、ビームスプリッタ５４を通過した光を情報保存媒体Ｄに集束させる対物レンズ５６を備える。
【００２８】
前記情報保存媒体Ｄから反射された光は、ビームスプリッタ５４によって反射されて、光検出器、例えば４分割光検出器５７に受光され、光検出器５７に入射された光は、演算回路部５８を経て電気信号に変換されて、ＲＦ信号、すなわち、サム信号に検出されるチャンネル１Ｃｈ１と、プッシュプル式で信号を検出するチャンネル２Ｃｈ２とに出力される。
【００２９】
このような構成の記録／再生システムで情報保存媒体Ｄにデータを記録する時には、分解能以下のサイズを有する記録マーク(例えば、１００ｎｍ以下)を形成できるように制御部７０の制御によって、所定パワー以上の記録ビーム(例えば、１０ｍＷ以上)をピックアップ部５０を通じて照射する。該記録ビームによって前記情報保存媒体Ｄにデータが記録される。
【００３０】
一方、本発明によって複数の再生パワー情報が記録されたハイブリッド型の情報保存媒体の再生過程を説明すれば、次の通りである。前記記録／再生システムに本発明による情報保存媒体が挿入されれば、記録／再生システムは、まず情報保存媒体のリードイン領域を読んで情報保存媒体自体の情報及び前記情報保存媒体に記録されたデータ関連情報を得る。この時、前述したような方式によって、再生専用領域の最適再生パワー情報及び記録可能領域の最適再生パワー情報も共に得られる。もし、最適の再生パワー情報がリードアウト領域に記録されている場合には、前記記録／再生システムは、リードアウト領域を読み込んで再生パワー情報を獲得する。
【００３１】
このように得た各領域別の最適の再生パワー情報は、例えば、制御部７０のメモリ(図示せず)に記憶される。それにより、制御部７０は、記録／再生システムが再生専用領域を再生している場合、メモリに記憶された再生専用領域の最適の再生パワー情報を照会して、それに合わせてレーザーダイオード５１の出力を制御する。同様に、記録／再生システムが記録可能領域を再生している場合、制御部７０は、メモリに記憶された記録可能領域の最適の再生パワー情報を照会して、それによってレーザーダイオード５１の出力を制御する。これにより、記録／再生システムがハイブリッド型の情報保存媒体のどの領域を再生しても最適の再生が可能となる。
【産業上の利用可能性】
【００３２】
本発明によれば、最適の再生パワーが異なる複数種のデータ領域を有するハイブリッド型の超解像光ディスクに記録されたデータを読む時、各領域についての最適の再生パワー情報をドライブに与えるので、常に最適の再生特性を安定的に得ることができる。
【図面の簡単な説明】
【００３３】
【図１Ａ】本発明で使われるハイブリッド型の超解像ディスク内部の層構造を示す図である。
【図１Ｂ】本発明で使われるハイブリッド型の超解像ディスク内部の層構造を示す図である。
【図１Ｃ】本発明で使われるハイブリッド型の超解像ディスク内部の層構造を示す図である。
【図２】ハイブリッド型の超解像ディスクにおいて再生専用領域と記録可能領域とでの再生パワーに関する特性を比較して示すグラフである。
【図３】ディスクの一般的なデータ領域の構造を示す図である。
【図４】リードイン領域のデータ構造を示す図である。
【図５】本発明による再生パワー情報の保存方式を例示的に示す図である。
【図６】本発明による情報保存媒体の記録／再生システムを概略的に示す図である。
【図１Ａ】
2007529848.tif 000003
【図１Ｂ】
2007529848.tif 000004
【図１Ｃ】
2007529848.tif 000005
【図２】
2007529848.tif 000006
【図３】
2007529848.tif 000007
【図４】
2007529848.tif 000008
【図５】
2007529848.tif 000009
【図６】
2007529848.tif 000010
【国際調査報告】
2007529848.tif 000011